Podtech/llm-jp-corpus-v4-ja_patent huggingface dataset:
(57)【要約】【課題】乗車時に対向車、後続車、対オートバイ、対人などに、道を譲ってもらった場合など、意思表示の道具が車両には全く設けられていないという問題を解決することを特徴とする。【解決手段】柔軟な本体１に、発光体または多数の発光素子２を配置し、その下にレール３を設け、側面の接ぎ部分５に電動機６と吸盤８を設け、本体１の端と電動機６を繋ぐ線４を設け、配線にスイッチ９を設けた、車両の電源１０を利用して電動機６が動作し、発光体または多数の発光素子２が発光し、車両の電源１０を利用して無線を送受信できる無線機７で「ありがとう」などの音声を発声する。【選択図】図１
2012069446.tif 000002
【特許請求の範囲】
【請求項１】
柔軟な本体１に、発光体または多数の発光素子２を配置し、その下にレール３を設け、側面の接ぎ部分５に電動機６と吸盤８を設け、本体１の端と電動機６を繋ぐ線４を設け、配線にスイッチ９を設けた、車両の電源１０を利用して電動機６が動作し、発光体または多数の発光素子２が発光する車両用コミュニケーション装置。
【請求項２】
車両の電源１０を利用して無線を送受信できる無線機７の付いた請求項１の車両用コミュニケーション装置。
【発明の詳細な説明】
【技術分野】
【０００１】
本発明は、乗車時に対向車、後続車、対オートバイ、対人などに、道を譲ってもらった場合など、相手に意志表示が可能な車両用コミュニケーション装置に関するものである。
【背景技術】
【０００２】
車の運転中に、対向車や後続車両の運転者に対して、道を譲ってもらったり、または、そうせざるを得ない時など、クラクションやハザードランプで相手に意思表示をしてきた。しかし、クラクションはできる限り鳴らしてはいけないし、ハザードランプも非常時以外は使わないのが常用である。
【０００３】
また、特開２００４−１２２８０４号では、数々のサイン表示装置を提案しているが、「サイン表示体を透明柔軟なシートの基盤に一体に配設して発光サイン表示体を形成し・・・・」とあるが、運転者にとって少なからず視界を遮るものである。
【先行技術文献】
【特許文献】
【０００４】
【特許文献１】特開２００４−１２２８０４号公報
【発明の開示】
【発明が解決しようとする課題】
【０００５】
本発明は、車に意思表示可能な装置がついていない点と、運転者にとって最小限視界の邪魔にならない点、これらの欠点を除くためになされたものである。
【課題を解決するための手段】
【０００６】
柔軟な本体１に、発光体または多数の発光素子２を配置し、その下にレール３を設ける。その側面の接ぎ部分５に電動機６と吸盤８を設け、本体１の端と電動機６を繋ぐ線４を設ける。そして発光体または多数の発行素子２と電動機６の配線にスイッチ９を設ける。そして車両の電源１０を利用して電動機６が動作し、発光体または多数の発光素子２が発光する。同時に、同様の車載用コミュニケーション装置を持つ対向車や後続車に、無線機７で「ありがとう」などの音声が流れる。
本発明は、以上の構成からなる車両用コミュニケーション装置である。
【発明の効果】
【０００７】
本発明の車両用コミュニケーション装置は、対向車・対オートバイや後続車両から見て、喜ぶ表情の眉毛が車全体で表現でき、なおかつ運転者にとって極力視界の邪魔にならないという利点がある。
【図面の簡単な説明】
【０００８】
【図１】本発明の通電した図面である。
【図２】本発明の通電した上面図である。
【図３】本発明の通常通電していない図面である。
【図４】本発明のフロントガラス装着図である。
【図５】本発明のリアガラス装着図である。
【図６】本発明の他の実施例を示す図面である。
【図７】本発明の他の配線例を示す図面である。
【発明を実施するための形態】
【０００９】
スイッチ９を押すと、真直ぐに伸びた本体１を電動機６が線４に繋がれた本体１を弓状にし、同時に発光体または多数の発光素子２が光り、喜ぶ表情の眉毛の形が実現する。また、同様の車載用コミュニケーション装置を持つ対向車や後続車に、電波または赤外線などが飛び、無線機７で用意した「ありがとう」などの音声が流れる。適秒おいて電動機６の制御で本体１はフラットにもどる。
【実施例】
【００１０】
以下、本発明の実施例を説明する。
（イ）  柔軟な本体１に、発光体または多数の発光素子２を配置し、その下にレール３を設ける。
（ロ）  その側面の接ぎ部分５に電動機６と吸盤８を設け、本体１の端と電動機６を繋ぐ線４を設ける。
（ハ）  発光体または多数の発行素子２と電動機６の配線にスイッチ９を設ける。
（ニ）  車両の電源１０を利用して電動機６が動作し、発光体または多数の発光素子２が発光する。
（ホ）  同時に、同様の車載用コミュニケーション装置を持つ対向車や後続車に、無線機７にあらかじめ用意がされた「ありがとう」などの音声が流れる。
本発明は以上のような構造で、これを使用するときは、フロントまたはリアガラス面に吸盤８で本発明を固定する。吸盤は接ぎ部にとしているが、レールの適当な部分でもよい。または車両に取り付けてもよい。電源10を車の電源に通し、スイッチ９を押す。電源はシガレット電源でもよいが、車体から直接配線するのもよい。またスイッチ９はマイクロスイッチを利用すると発光体または発光素子２が点滅するなどいろいろな変化をつけることができる。真直ぐに伸びた本体１を電動機６が線４に繋がれた本体１を弓状にする。電動機はモーターとしているが、電磁石や油圧または、空気圧発生装置などでもよい。また線4はギヤーでもよい。同時に発光体または多数の発光素子２が光り、喜ぶ表情の眉毛の形が実現する。またレール部にも発光体または適数の発光素子を追加において発光するのもよい。同様の車載用コミュニケーション装置を持つ対向車や後続車に、電波または赤外線などが飛び、無線機７で用意した「ありがとう」などの音声が流れる。適秒おいて電動機６の制御で本体１はフラットにもどる。線４はゴムやバネなど元に戻る際によい。
フロントガラスに本発明を装着した場合、運転の視覚を遮られるのは、ワイパーの１〜２往復分ぐらいであり、ほとんど視界の妨げにならない。
ヘッドライトは目であり、バンパーやフロントスポイラーは口であるように、車はよく顔に似ているといわれている。この特長を利用して、喜ぶ表情の眉毛の形が、対運転者や人の緊張を適度にほぐし、良好な関係を作り出すことができる。
【産業上の利用可能性】
【００１１】
交通戦争と呼ばれる昨今、喜ぶ表情の眉毛の形を形成する本発明が、対運転者や人の緊張を適度にほぐし、良好な関係を作り出すことができる。
【符号の説明】
【００１２】
１    本体
２    発光素子
３    レール
４    線
５    接ぎ部分
６    電動機
７    無線機
８    吸盤
９    スイッチ
１０  電源
【図２】
2012069446.tif 000003
【図４】
2012069446.tif 000004
【図５】
2012069446.tif 000005
【図６】
2012069446.tif 000006
【図１】
2012069446.tif 000007
【図３】
2012069446.tif 000008
【図７】
2012069446.tif 000009
(57)【要約】      （修正有）【課題】マヨネーズやケチャップの様にプラスチック容器に入っている食品は、逆さまに立てておくと中身がスムースに出て使い易いが、立てておくのは難しく、直ぐに倒れてしまう。【解決手段】マヨネーズ等のチューブ様容器に入った食品を、最後まで無駄なく絞り出せるように逆さまに立てて置く為の容器立てであり、食品容器と共に冷蔵庫に収納できるほか、本発明を食品容器のキャップの開閉部に装着することから、キャップのフタが大きくなった事になり、従来開けにくかったフタを開けやすくすることができる。又、着色、彩色、キャラクター化することで、食卓を明るく演出する事ができる。本発明に食品容器を逆さまに差し込んで使用する。【選択図】図３
2012180121.tif 000002
【特許請求の範囲】
【請求項１】
マヨネーズ、ケチャップ等のチューブ様容器に入った食品を、最後まで無駄なく使用する為に、チューブ様容器を逆さまに立てておく為の転倒防止用の容器立て。
【発明の詳細な説明】
【先行技術文献】
【特許文献】
【０００１】
【特許文献１】特開２００６−２２４９７０号公報
【発明の概要】
【発明が解決しようとする課題】
【０００２】
解決しようとする問題点は、マヨネーズやケチャップの様にプラスチック容器に入っている食品は、逆さまに立てておくと中身がスムースに出て使い易いが、立てておくのは難しく、直ぐに倒れてしまう。
【課題を解決するための手段】
【０００３】
本発明は、マヨネーズやケチャップの様な食品容器のキャップに取り付けることで、食品容器を逆さまに立て置いても、倒れにくくすることができ、中身を最後までスムースに使うことができる食品容器立てであり、また、小型軽量でキャップと一体で使用できるので、そのまま冷蔵庫から食卓へと持ち運べ、更にキャップがヒンジ開閉式のものでも、スクリュー式のものでもどちらにも装着することができ、キャップ上端に被せるかたちで一体装着するので、開閉を妨げることがなく、機能性を高めることができる。
【発明の効果】
【０００４】
食品容器と共に冷蔵庫に収納できるほか、本発明は食品容器のキャップに装着するが、キャップがヒンジ開閉式のものでも、スクリュー式のものでもどちらにも装着することができ、キャップと一体で使用することができる。また、キャップに装着することでキャップの外周が大きくなった事になり、お年寄りや障害を持つ方等、従来開けにくかったフタが開けやすくなる。又、着色、彩色、キャラクター化することで、食卓を明るく演出する事ができる。
【図面の簡単な説明】
【０００５】
【図１】図１は食品容器立ての平面図である。（実施例１）
【図２】図２は食品容器立ての断面図である。（実施例2）
【図３】図３は食品容器立ての実施方法を示した説明図である。（実施例3）
【図４】図４は食品容器立ての実施方法を示した説明図である。（実施例4）
【図１】
2012180121.tif 000003
【図２】
2012180121.tif 000004
【図３】
2012180121.tif 000005
【図４】
2012180121.tif 000006
(57)【要約】【課題】本発明はペットボトルの冷いお茶を飲む前にその冷たさを肌に柔軟に触れさせほっとひと息をついてからお茶を飲み喉の渇きを癒やすと云う１ッの商品で２ッの効果を可能にする袋を提供する。【解決手段】チューブ状の本体の一端にお茶の注入口を設け他の一端には先端部を指でちぎりお茶の飲み口となる部分を設けちぎり易くする爲に一部鋭角になっている、こちら側の一端は図面に表示した曲線全周が溶着、切断加工が施こされている。本発明は以上の構成により１ッの商品で２ッの効果を提供可能にするものである。【選択図】図３
2012180128.tif 000002
【特許請求の範囲】
【請求項１】
チューブ状の本体の一端はお茶の注入口を兼ねており本体にお茶を注入後封じる爲の結び部分となる、他の一端は飲み口となる細目のチューブ状部分を構成し其の先端には指でちぎり易くする爲の鋭角の切り込み部分を設けた袋。
【発明の詳細な説明】
【技術分野】
【０００１】  本発明はペットボトル入りのお茶に新らしい付加価値をプラスしたもので従来の消費者は熱いのか冷いのか選んで飲んでいた、本発明はもう１ッの選択支を提供するものである。
それは図面に示す構造の袋を用いる事により冷いお茶で首迴りを冷した後飲む事を可能にしたものである。
【背景技術】
【０００２】  従来、夏の猛暑の日中などに外出中のほとんどの人はだるさと夏バテ感を持って居り自販機で購入した冷いドリンク類を額とか頬にちょっと当てる仕草をする人が居る、暑い時に人間は小さな冷いものでも肌に当てたいと思う心理が有り本発明はそのニーズを滿たすものである。
【発明の開示】
【発明が解決しようとする課題】
【０００３】  本発明はペットボトル入りの冷いお茶を飲むと云う目的以外に図面に示した構造の袋に入れ替えて冷やす効果の高い首迴りに当てひとときの休息を樂しみ其の後飲む事により喉の渇きを癒やすと云う２ッの効果の実現を提供し商品の付加価値の向上につなげるものである。
【課題を解決するための手段】
【０００４】  チューブ状の本体の一端にお茶の注入口を設け他の一端には先端部を指でちぎりお茶の飲み口となる部分を設けちぎり易くする爲に一部鋭角になっている、こちら側の一端は図面に表示した曲線全周が溶着、切断、加工が施こされている。
本発明は以上の構成により１ッの商品で２ッの効果を提供可能にするものである。
【発明の効果】
【０００５】  本発明はペットボトルの冷いお茶で喉の渇きを癒やす事と冷たさで肌を通してひとゝきの休息も提供できるものである。
【発明を実施するための最良の形態】
【０００６】  以下、本発明の実施の形態を説明する。
（イ）チューブ状の本体（１）の一端は切断加工されただけでチューブ素材の直径の口が開きお茶の注入口（２）になる。
（ロ）もう一方の端には指でちぎりお茶の飲み口（３）となる部分を設け先端をちぎり易くする爲に一部鋭角（４）になっている。
（ハ）飲み口（３）の設けられているこちら側は全周溶着、切断加工が施こされている。
本発明は以上の構成よりなる。
本発明を使用する場合はペットボトルのキャップを外し本体（１）の注入口（２）を拡げペットボトルの口に上から被せる様に嵌合させペットボトルのお茶を本体（１）にそゝぐ様に注入する。完了したら図（３）表示の様に結んで閉じる。この状態で首迴りとか頬等に本体（１）部分を当てお茶の冷たさによるひとゝきの休息を楽しみ其の後飲み口（３）を上にして持ち先端部を指でちぎり取り口にくわえた状態で本体（１）に握ぎる様な圧力を加えればお茶を飲む事が可能である。
【図面の簡単な説明】
【０００７】
【図１】本発明にお茶未注入時の正面図
【図２】本発明にお茶未注入時の側面図
【図３】本発明にお茶を注入した状態の正面図
【図４】本発明にお茶を注入した状態の側面図
【符号の説明】
【０００８】（１）袋本体、（２）お茶注入口、（３）お茶の飲み口  （４）指でちぎり易くする爲の鋭角の切り込み、（５）お茶を注入後閉じる爲に結んだ部分。
【図１】
2012180128.tif 000003
【図２】
2012180128.tif 000004
【図３】
2012180128.tif 000005
【図４】
2012180128.tif 000006
(57)【要約】      （修正有）【課題】スクリューキャップオープナープレート片を２枚合わせにしてスクリューキャップを挟み込み、揉むように利用することで、指の発達が未熟な子供や指先に障害のある方が、例えばペットボトルのキャップを楽々開閉する為の補助具である。【解決手段】可撓性を有する合成樹脂層１に表面印刷層を重ね合わせ、前記可撓性を有する合成樹脂層と表面印刷層の間に緩衝層の発泡軟質素材を用いる三層構造からなるカード型の所定の形状に合わせて接合して、スクリューキャップオープナープレート片を構成し、前記スクリューキャップオープナープレート片２枚を用いて可撓性を有する合成樹脂層を対面させてハトメ金具で固定結束した構成からなる、スクリューキャップオープナー。【選択図】図５
2012180107.tif 000002
【特許請求の範囲】
【請求項１】
可撓性を有する合成樹脂層に同様形状の表面印刷層を重ね合わせ、前記可撓性を有する合成樹脂層と同形状の表面印刷層との間に緩衝層を用いる少なくとも三層構造からなるカード型で、所定の形状に合わせて接合してなる、スクリューキャップオープナープレート片を２枚用い、可撓性を有する合成樹脂層同士を対面させて一端の一部を連結した構成からなる、スクリューキャップオープナー。
【発明の詳細な説明】
【技術分野】
【０００１】
本発明は、指の発達が未熟な子供や指先に障害のある方が、ペットボトル等のキャップを楽々開閉する為の補助具であるスクリューキャップオープナーに関するものである。
【背景技術】
【０００２】
従来は、スクリューキャップオープナークロスを広げた布状で利用する為、発泡軟質素材は一定の厚みが必要で、しかも、保管場所を取り、携帯には嵩張り不便なものであった。
【発明の概要】
【発明が解決しようとする課題】
【０００３】
本発明は、スクリューキャップオープナープレート片を２枚合わせにして利用し、コンパクトにして使い勝手がよく、発泡軟質素材も薄くでき、さらにノベルティグッズとして携帯性にも便利な、スクリューキャップオープナーを提供するものである。
【課題を解決するための手段】
【０００４】
本発明は、従来のハンカチの布地や発泡系単体クロスではなく、可撓性を有する合成樹脂シートをコンパクトなカード形状に構成して、ノベルティとしての広告面を有する携帯に便利なスクリューキャップオープナーとして利用できるように手段を講じたものである。
【発明の効果】
【０００５】
本発明に係るスクリューキャップオープナー８を２枚のカード形状に構成して、ノベルティとしての広告面を有する携帯に便利にして、スクリューキャップを僅かな力でキャップの回転を可能にすることができる。
【０００６】
本発明は、前述の手段を講じたので、使用に際しては、スクリューキャップをスクリューキャップオープナープレート片の可撓性を有する合成樹脂シートでスクリューキャップを挟み込んで絞るように利用することで、固く締まったスクリューキャップを簡単に、しかも、スクリューキャップの大きさや形状に関わりなく楽々開けることができるスクリューキャップオープナーを提供することである。
【図面の簡単な説明】
【０００７】
【図１】スクリューキャップオープナープレート片の加工前断面図
【図２】スクリューキャップオープナープレート片の加工後事例１断面図
【図３】スクリューキャップオープナープレート片の加工後事例２断面図
【図４】スクリューキャップオープナープレート片の斜視図
【図５】本発明のボールチェーン付斜視図
【図６】２つ折りスクリューキャップオープナープレート片の斜視図
【図７】スクリューキャップオープナーをスクリューキャップに装着状態の斜視図
【図８】本発明のスクリューキャップオープナーを使用状態の斜視図
【実施例】
【０００８】
以下、本発明の実施例を図面に従って説明する。
【０００９】
図１のように可撓性を有する合成樹脂層１の上に緩衝層としてポリエステル系ポリウレタン樹脂３をのせ、さらにその上に表面印刷層２を重ね置き、下面の可撓性を有する合成樹脂層１と表面印刷層２をカード型に加工を行い、表面が剛性度と平滑性を付与するポリカーボネートである表面印刷層２で裏面が可撓性を有する合成樹脂層１から成る、図４スクリューキャップオープナープレート片４が得られる。図２、図３にカード型加工後の断面図を示す。
【００１０】
図５のようにハトメ金具６の中心の穴に、ボールチェーン７あるいはストライプヘッド、キーチェーン等を通し、携帯に便利なスクリューキャップオープナー８を提供することもできる。
【００１１】
スクリューキャップオープナープレート片４を２枚ハトメ金具６で結束するのではなく、スクリューキャップオープナープレート片４を２枚分一体化して構成したものを二つ折りにしてから図６のごとく折り目近くに穴をあけてボールチェーン７等を取り付けることもできる。
【００１２】
図３のように緩衝層は発泡軟質素材３ではなく空気や液体、または、ジェル状物質を封印して、発泡軟質素材の代わりにクッション性を付与させることもできる。
【００１３】
前記、スクリューキャップオープナープレート片４は、３層以上の多重層シール化することで、販売促進用に抽選用途や各種商品説明ＰＲ用として、色々な活用・啓蒙支援が見込まれる。
【００１４】
前記、スクリューキャップオープナープレート片４は、カードの形状を名刺型、丸型、三角、多角形、ハート形、幾何学形状など、好みや要望により色々な形状を構成できる。
図７は、スクリューキャップオープナーをペットボトルのスクリューキャップに装着状態の斜視図である。
【００１５】
図８は、本発明のスクリューキャップオープナーを実際にペットボトルのスクリューキャップに装着状態で両手を使った使用状態の斜視図である。
【符号の説明】
【００１６】
１．可撓性を有する合成樹脂層
２．表面印刷層
３．緩衝層
４．スクリューキャップオープナープレート片
５．ボールチェーン
６．スクリューキャップオープナー
７．アーチ状パーツ
８．結束金具
【図１】
2012180107.tif 000003
【図２】
2012180107.tif 000004
【図３】
2012180107.tif 000005
【図４】
2012180107.tif 000006
【図５】
2012180107.tif 000007
【図６】
2012180107.tif 000008
【図７】
2012180107.tif 000009
【図８】
2012180107.tif 000010
(57)【要約】      （修正有）【課題】排水に含まれるごみを取り除き、水洗トイレに再利用可能とする。【解決手段】貯水槽１より小貯水槽２への流入口４にごみ取り装置５が設置され、小貯水槽２よりポンプ１４でトイレ水槽１１に排水を送水し、貯水槽１に流入する排水の一部でごみ取り装置５が洗浄され、貯水槽１底部に堆積されたごみ７は貯水槽１底部から設置された排水排出管６よりサイホン現象で底部より排水と共に下水管に排出される構成よりなる家庭排水再利用装置。【選択図】図１
2012180731.tif 000002
【特許請求の範囲】
【請求項１】
家庭排水を貯留する貯水槽に小貯水槽を設け、貯水槽から小貯水槽に排水が導入される開口部にごみ取り装置を設置することで、小貯水槽に流入する排水中のごみを取り除き、貯水槽に流入する排水によって、ごみ取り装置が洗浄されることを特徴とする家庭排水再利用装置。
【請求項２】
貯水槽に流入する排水がオーバーフローになると、貯水槽底から設置された排水排出管がサイフォン現象を惹起し貯水槽底から排水が排出され、貯水槽と排水排出管を連結した通気穴まで貯水槽底から排水が沈下したごみと共に排出され、処理されることを特徴とする家庭排水再利用装置。
【発明の詳細な説明】
【技術分野】
【０００１】本発明は、家庭排水を再利用する装置に関するものである。
【背景技術】
【０００２】従来、水洗トイレに上水道水が使用されている。
【先行技術文献】
【特許文献】
【０００３】
【特許文献１】
【特許文献２】
【非特許文献】
【０００４】
【非特許文献１】
【非特許文献２】
【発明が解決しようとする課題】
【０００５】水洗トイレに上水道水を使用するため、家庭では水道代、地方自治体では莫大な水資源の確保が必要となっている。本発明は以上のような欠点をなくすためになされたものである。
【課題を解決するための手段】
【０００６】家庭排水を水洗トイレに再利用するためには、排水に含まれるごみを除く必要がある。
貯水槽に小貯水槽を設け、小貯水槽への排水導入口にごみ取装置を設置して排水中のごみを取り除き、ごみ取り装置は貯水槽に流入する排水の一部で洗浄される。貯水槽底に堆積したごみは、排水がオーバーフローすることで排出管がサイホン現象を惹起し貯水槽と排水排出管を連結した空気穴まで貯水槽底より排水がごみとともに排出される。
【発明の効果】
【０００７】上水道水の使用量を低減させ、水資源の有効利用ができる効果がある。
【図面の簡単な説明】
【０００８】
【図１】本発明の正面図である。
【図２】本発明の貯水槽から小貯水槽への排水導入口４及び、ごみ取り装置５。
【発明を実施するための形態】
【０００９】以下本発明を実施するための形態について説明する。浴槽、洗濯機等の排水を排水導入管３より貯水槽１へ散水装置２０でゆるやかに入れ、貯留した排水をごみ取り装置５から導入口４より小貯水槽２へ導入し、ポンプ１４で水洗トイレ水槽１１に送る。トイレ水槽１１が満水になると水準浮子２１が上がってポンプ１４のスイッチ１９が切れる。トイレ水槽１１の水を使用すると、水準浮子２１が下がり、スイッチが入りトイレ水槽１１に送水する。貯水槽１の排水が小貯水槽２へ流入されなくなり、小貯水槽２からトイレ水槽１１に送水されると、小貯水槽２に上水道水が供給される。
【００１０】貯水槽１が満水８状態で排水が流入されると貯水槽１底部から設置された排水排出管６がサイホン現象を惹起し、貯水槽１底部から排水と共にごみが排出され貯水槽１と排水排出管６を連結した通気穴９まで排水が貯水槽１底部からごみと共に排出される。
【図面の簡単な説明】
【００１１】
【図１】本発明の正面図である。
【図２】本発明の貯水槽１から小貯水槽２への排水導入口とごみ取り装置。
【符号の説明】
【００１２】１貯水槽
２小貯水槽
３排水導入管
４小貯水槽排水導入口
５ごみ取り装置
６排水排出管
７堆積ごみ
８排水満水時の水線
９貯水槽と排水排出管を連結した通気穴
１０サイホン現象で排出された水線
１１トイレ水槽
１２ポンプ電気配線
１３トイレ送水管
１４ポンプ
１５ごみ取装置洗浄口
１６下水道
１７上水道水弁
１８上水道水弁浮子
１９ポンプスイッチ
２０排水散水装置
２１トイレ貯水槽水準浮子
【図１】
2012180731.tif 000003
【図２】
2012180731.tif 000004
【手続補正書】
【提出日】平成23年5月2日(2011.5.2)
【手続補正１】
【補正対象書類名】明細書
【補正対象項目名】全文
【補正方法】変更
【補正の内容】
【発明の詳細な説明】
【技術分野】
【０００１】本発明は、家庭排水を再利用する装置に関するものである。
【背景技術】
【０００２】従来、水洗トイレに上水道水が使用されている。
【先行技術文献】
【特許文献】
【０００３】
【特許文献１】
【特許文献２】
【非特許文献】
【０００４】
【非特許文献１】
【非特許文献２】
【発明が解決しようとする課題】
【０００５】水洗トイレに上水道水を使用するため、家庭では水道代、地方自治体では莫大な水資源の確保が必要となっている。本発明は以上のような欠点をなくすためになされたものである。
【課題を解決するための手段】
【０００６】家庭排水を水洗トイレに再利用するためには、排水に含まれるごみを除く必要がある。
貯水槽に小貯水槽を設け、小貯水槽への排水導入口にごみ取装置を設置して排水中のごみを取り除き、ごみ取り装置は貯水槽に流入する排水の一部で洗浄される。貯水槽底に堆積したごみは、排水がオーバーフローすることで排出管がサイホン現象を惹起し貯水槽と排水排出管を連結した空気穴まで貯水槽底より排水がごみとともに排出される。
【発明の効果】
【０００７】上水道水の使用量を低減させ、水資源の有効利用ができる効果がある。
【発明を実施するための形態】
【０００８】以下本発明を実施するための形態について説明する。浴槽、洗濯機等の排水を排水導入管３より貯水槽１へ散水装置２０でゆるやかに入れ、貯留した排水をごみ取り装置５から導入口４より小貯水槽２へ導入し、ポンプ１４で水洗トイレ水槽１１に送る。トイレ水槽１１が満水になると水準浮子２１が上がってポンプ１４のスイッチ１９が切れる。トイレ水槽１１の水を使用すると、水準浮子２１が下がり、スイッチが入りトイレ水槽１１に送水する。貯水槽１の排水が小貯水槽２へ流入されなくなり、小貯水槽２からトイレ水槽１１に送水されると、小貯水槽２に上水道水が供給される。
【０００９】貯水槽１が満水８状態で排水が流入されると貯水槽１底部から設置された排水排出管６がサイホン現象を惹起し、貯水槽１底部から排水と共にごみが排出され貯水槽１と排水排出管６を連結した通気穴９まで排水が貯水槽１底部からごみと共に排出される。
【図面の簡単な説明】
【００１０】
【図１】本発明の正面図である。
【図２】本発明の貯水槽１から小貯水槽２への排水導入口とごみ取り装置。
【符号の説明】
【００１１】１貯水槽
２小貯水槽
３排水導入管
４小貯水槽排水導入口
５ごみ取り装置
６排水排出管
７堆積ごみ
８排水満水時の水線
９貯水槽と排水排出管を連結した通気穴
１０サイホン現象で排出された水線
１１トイレ水槽
１２ポンプ電気配線
１３トイレ送水管
１４ポンプ
１５ごみ取装置洗浄口
１６下水道
１７上水道水弁
１８上水道水弁浮子
１９ポンプスイッチ
２０排水散水装置
２１トイレ貯水槽水準浮子
(57)【要約】【課題】如何に費用を抑えて鋼矢板型排水路の腐食箇所の補修にあたり、完全に補修が可能になるか。【解決手段】重機や大掛かりな装置を使用する事無く、仮設の足場も固定するタイプを改善してゴンドラ式の移動型にすることにより使用機材のコストを抑えることが可能になる。その次に鋼矢板の裏面を掘り起こすことが要らない一方向面からのソケットナット圧入作業により、鋼板の当板を装着する準備の作業性が大幅に向上するために人工手間にかかる費用を抑える事が可能となる。鋼板の当板が鋼矢板に完全密着することにより構造物として一体化が出来るため護岸能力が復活する。【特許請求の範囲】
【請求項１】
農業利水における鋼矢板型排水路の腐食部分の補修において同種の鋼板の当板を鋼矢板の形状に合わせて製作し、鋼矢板を抜く事無くそのまま使用するために特殊なボルト、ナットで固定する事が出来る完全な一方向から補修作業が可能な工法
【発明の詳細な説明】
【技術分野】
【０００１】本発明は農業利水施設である開水路の中で鋼矢板を使用している排水路施設の老朽化に伴い腐食している箇所の補修工事に関するものである。
【背景技術】
【０００２】農業利水施設において排水路の施工性と費用の面からみて鋼矢板が多く用いられて施工されてきた。しかしこの鋼矢板も長年の風雨におけるダメージが大きく鋼矢板の酸化進行が進み、水面との磨耗から腐食が進んで穴が開いている箇所が目立ってきた。この穴の開いた状態のままの鋼矢板では護岸の耐久性が著しく低下してきているため、早急な対策が必要となっている。【０００３】そうした状況下で様々な施策が検討されている。例えば紫外線に反応して固まる特殊な樹脂で補強をする方法。例えばＦＲＰを使用して護岸の内側に新規の排水路を敷設する方法。例えば特殊塗料を鋼矢板に塗りつける方法。といった方法が検討されてきた。【０００４】対費用効果との関係から極単純な方法での補修が望まれている。その要望も叶えられる方法として、鋼板を鋼矢板の形状に合わせて折り曲げた当板を作り、腐食している鋼矢板の上から被せてボルトで固定する工法を考えた。
【発明の概要】
【発明が解決しようとする課題】
【０００５】本来ならば穴の開いた鋼矢板の上から鋼板を直接溶接する方法が望ましいのであるが、現状の鋼矢板排水路では実際かなり錆びているため直接鉄板を溶接することは作業性と費用の面から厳しいと考える。下地を出すまで錆び取りを行い足場の悪い状況では通電時の水対策の問題から一層溶接は難しい。そこで本発明は鋼板の当板を直接鋼矢板にボルトで固定する手段が有効であると考える。
【課題を解決するための手段】
【０００６】ある程度現場で寸法を詳細に測り、オーダーメードの鋼板での当板を作り現場に搬入する。移動式のドンドラ仕様の足場を作り鋼矢板の穴を現場にて鋼矢板に任意の位置で開けるのであるが、あらかじめ当板の鋼板にボルト固定用の穴を開けるために鋼矢板の方にも基準となるピッチで穴を開けることが必要である。鋼矢板の裏側を作業することが出来ないため、ボルトを止める為のナットはソケット式として水路側の開放している面から穴あけと同時にナットを圧入する。この作業手順で作業時間が大幅に短縮することが可能になる。
【発明の効果】
【０００７】本発明の工法では仮設の足場を組み立てることなくゴンドラ式の移動用足場を使用するため、移動しながらの作業が簡単に行えるために費用も抑えることが可能になる。
工事には大掛かりな重機を使用する事無く、少数の作業員で工事に当たれるので大幅に費用が削減可能になる。
【実施例】
【０００８】最初に鋼矢板排水路腐食している部分の矢板形状を寸法取りして工場にて鋼板当板の製作に取りかかる。終了後表面処理を行い作業現場に搬入する。【０００９】本発明の工法では現場における作業用のゴンドラ式作業足場に作業員を配置して、腐食している鋼矢板の表面を高圧洗浄機にて清掃し泥や水垢等を除去する。その後ケレン等で表面を覆っている錆やゴミを除去する。【００１０】次にその鋼矢板の表面に開放面からボルト止めのナットが入る穴をドリル等で任意の位置に開けてソケットナットを圧入する。その後あらかじめ用意してある鋼板の当板を所定の位置に据え付ける。その際に持ちづらい鋼板の当板を取り付けしやすい様に強力なマグネットのステージを用意して鋼板の当板下面を支える目的で位置を設定して取り付ける。鋼板の当板は鋼矢板に吸着されたマグネットステージに一旦置いて最終的にボルト穴の勘合を見ながら位置合わせの上ボルトをソケットナットに挿入しながら鋼矢板と鋼板の当板をボルトでしっかりと固定する。【００１１】最後に鋼矢板の表面に構造物の耐久性を上げるため塗装を施して終了となり撤収して完了する。
【産業上の利用可能性】
【００１２】本発明の工法は全国の自治体で問題視されている農業利水における排水路が耐久年数を大幅に超えているので早急な補修工事が必要となっている。
その中でも鋼矢板排水路の金属部分の腐食が激しく、護岸の能力が大幅に低下しているのが現状である。そこで全面的に新品の鋼矢板を敷設するのであれば莫大な費用が発生するため、部分的な補修で対応年数が延びて、尚且つ費用も抑えることが出来れば緊急的に予算措置を講じて危険な現場から早急に補修が可能となる。
(57)【要約】      （修正有）【課題】ＩＤカードのデータスキミングや複製を防止し、不審者の侵入防止や警報確認ができる、防犯効果の高いドアシステムの提供。【解決手段】扉Ｚの室外部に外部カードリーダー／ライター１Ｂを配置し、開錠のため通されたカードが室内部の内部カードリーダー/ライター１Ａで二次チェック後、パスワードのみ書き換えられ、内部管理のため保管される。この保管カードにより室内人の認証がなされ、ドア室内側の感熱人感センサー３Ａ、外付感熱人感センサー２Ａとの連係で、不審者侵入の感知やオートロックの施錠・開錠の管理及び防犯を行う。【選択図】図１
2012180709.tif 000002
【特許請求の範囲】
【請求項１】
扉の防犯を向上させる施錠・解錠システムであり、扉室外部や扉室内部に非接触ICカードリーダー／ライターを設け、外部開錠毎に新パスワードが寄与され、旧パスワード共に記録される。その扉室内非接触ICカードリーダー／ライターに検知状態で保管することで、室内の防犯管理や施錠管理も行える施錠システムである。
【請求項２】
前項記載の室内側の非接触ICカードリーダー／ライターと熱感用人感センサーなどの信号を制御装置に送り、施錠・開錠管理と不審者の警報などを行う室内の防犯錠システム
【発明の詳細な説明】
【技術分野】
【０００１】
本発明は、使用毎に新規のパスワードが寄与されるIDカード電気錠装置および、カードと人感センサーにより不審者の室内部への侵入を感知・警報する防犯センサを備えた、防犯ドアシステムに関する。
【背景技術】
【０００２】
防犯のため各室のドアに電気錠を設け、その電気錠を、カードリーダやテンキー入力装置を利用して、解錠しいる。上記のような装置だと、カードの盗難や入力番号を知られたりすると、誰もが室内に入ることが出来てしまう。このような問題を解決するために、現在最も防犯性の高い生体情報を利用した、電気錠装置を設ける所もある。
【先行技術文献】
【特許文献】
【０００３】
【特許文献１】2010-265585
【非特許文献】
【０００４】
【非特許文献１】2004-013407
【発明の概要】
【発明が解決しようとする課題】
【０００５】
しかし、一般家庭やホテルの客室に人体認証を使用した場合、出入りが頻繁なことや、多数の認証登録を行う必要があり面倒な作業となる。簡易に認証が行え、防犯効果の高い施錠方法が必要である。
【課題を解決するための手段】
【０００６】
テンキー入力による解錠で記憶媒体を人間の脳で行っている場合は、他人に知られることが少ない、また暗証番号を短期で変更すれば、防犯性は高い、しかしこれ等作業を絶えず行うことは大変である。
そこでICカードの暗証番号を旧パス・新パスを解錠後に書き換えるこで解決できる。
また、室内部ICカードリダー／ライターに読み取り状態で保管し、熱・人感センサーと組み合わせ感知させ、住人と不審者の確認をし制御装置より施錠・解錠・警報の信号を出す。
【発明の効果】
【０００７】
たとえば、ホテルの様に不特定多数が使用する鍵やカード鍵の場合、定期的な鍵・錠交換やカードパスワードを変更しないと防犯性が向上せず、個人ごとにカードパスを変更することは大変である。本発明はカード鍵や鍵につけたホルダータグ部のICカードのパスワードを使用するたび自動で新パスに変更する装置により、新規の鍵として使用できるほか、室内部のカードリーダーに認証状態で保管することで、住人確認されるため、不審者の侵入の防止や警報確認ができ、はちあわせする事がなくなる。
【図面の簡単な説明】
【０００８】
【図１】本発明に係る扉の施錠・開錠及び室内防犯システムの実施形態を示す概略図である。
【発明を実施するための形態】
【０００９】
室外部ICカードリーダー／ライターと室内部ICカードリーダー／ライターでデータ確認やパスワード登録変更をおこなうが、使様により、ドア外部とドア内部の検知リーダー／ライター一体型での構成も可能で、室外部より挿入されたカードが室内部で認証保管することもできる。鍵やリモコン鍵を使用の場合は、キーホルダータグにICカードの機能をする、ICタグを取り付け、入室時に室内部のリーダーで警報解し、同時に新規解除パスワードが記録される。
【実施例】
【００１０】
図１は扉の施錠・解錠および内部防犯システムの実施形態を示す図で、扉Zの室外部Bに解錠のためにカードリーダー／ライター１Bがあり、挿入したカードはカードリーダー１Bで読み込まれ、制御装置１Cで検知確認され解錠し、その後室内部カードリーダー／ライター１Aで新パスワードが寄与され旧パスワード共に記録される。
【００１１】
前記の室内部カードリーダー／ライター１Aで検知状態で保管するこで、在宅認証状態であり、室外警報２Bは作動しない、例えば住人が不在のとき、不審者がカードを使用せず、何んらかの方法で侵入した場合、室内部カードリーダーにカード鍵を一定時間内に検知保管しないと、制御装置１Cより警報装置２Bへ送られ警報が発生する。また就寝時にリモコン等で不在状態を作り、外付け人感センサー２Aを配置し防犯を高めることも可能となる。
【００１２】
また、在宅確認状態時には、室内部のドアロックが自動ロックされており、熱式人感センサー３Aの感知により、近ずくと解除される。また室内部カードを取らずレバーを開閉すると警告で知らせる事ができ、解錠部付近にあるため取りわすれの防止となる。
【００１３】
カード鍵以外のリモコン鍵や金属鍵の場合、キイーホルダーのタグ部をICカードで構成させ、室内部１Aに掛けておき警報解除し、パスワードの自動寄与を行う。
【産業上の利用可能性】
【００１４】
ホテルなどで、鍵が不特定多数に渡る場合の、データスキミングや複製の防止に効果を発揮する他、内部認証装置でも防犯効果をきたいできる。
【符号の説明】
【００１５】
１A      内部カードリーダー/ライター
１B      外部カードリーダー/ライター
１C      制御装置
２A      外付熱感人感センサー
２B      警報装置
３A      熱感人感センサー
Z        扉
A⇔B      A室内⇔B室外
【図１】
2012180709.tif 000003
(57)【要約】【課題】  袖仕切り板の車体への固定方法を工夫して、特に袖仕切り板の脇に着座している乗客の頭部の傷害を防止するようにした袖仕切り板の取り付け方法を提供する。【解決手段】  袖仕切り板の取り付け方法において、列車車体１に袖仕切り板２を固定している固定部材７の最上端固定位置を着座乗客８の肩部８Ａ又はそれよりも低い位置とすることにより、前記袖仕切り板２の脇に着座している着座乗客８の頭部８Ｂと前記袖仕切り板２との衝突時の衝撃を、固定されていない前記袖仕切り板２の上端部２Ａが撓むことによって緩和し、前記着座乗客８の頭部８Ｂの傷害を防止するようにした。【選択図】  図１
2012180029.tif 000002
【特許請求の範囲】
【請求項１】
列車車体に袖仕切り板を固定している固定部材の最上端固定位置を着座乗客の肩部又はそれよりも低い位置とすることにより、前記袖仕切り板の脇に着座している着座乗客の頭部と前記袖仕切り板との衝突時の衝撃を、固定されていない前記袖仕切り板の上端部が撓むことによって緩和し、前記着座乗客の頭部の傷害を防止するようにしたことを特徴とする袖仕切り板の取り付け方法。
【請求項２】
請求項１記載の袖仕切り板の取り付け方法において、前記袖仕切り板をさらに手すりによって固定する場合、この手すりの固定位置を前記着座乗客の肩部又はそれよりも低い位置とすることを特徴とする袖仕切り板の取り付け方法。
【発明の詳細な説明】
【技術分野】
【０００１】
本発明は、鉄道運転衝撃事故時の胸部傷害防止のための袖仕切り板の取り付け方法に関するものである。
【背景技術】
【０００２】
現在、鉄道車内の腰掛の側面に袖仕切り板が備え付けられている車両が増えている。列車の前面衝突のように進行方向に大きな衝撃が車内に発生した際に、この袖仕切り板の脇に座っている乗客（着座乗客）が袖仕切り板にぶつかり傷害を受ける可能性がある。袖仕切り板は、従来、腰掛側面の端部、荷棚から延びる手すり、及び車体に数本のボルトで車体に堅牢に固定されている（下記特許文献１参照）。
【先行技術文献】
【特許文献】
【０００３】
【特許文献１】特許第４３８７８９０号公報
【発明の概要】
【発明が解決しようとする課題】
【０００４】
しかしながら、袖仕切り板が車体に堅牢に固定されていると、列車の前面衝突のような進行方向に大きな衝撃が車内に発生した際に、この袖仕切り板の脇に座っている乗客（着座乗客）は頭部を袖仕切り板に強く打ちつけることになり、傷害を受ける可能性がある。
本発明は、上記状況に鑑みて、袖仕切り板の車体への固定方法を工夫して、特に袖仕切り板の脇に着座している乗客の頭部の傷害を防止するようにした袖仕切り板の取り付け方法を提供することを目的とする。
【課題を解決するための手段】
【０００５】
本発明は、上記目的を達成するために、
〔１〕袖仕切り板の取り付け方法において、列車車体に袖仕切り板を固定している固定部材の最上端固定位置を着座乗客の肩部又はそれよりも低い位置とすることにより、前記袖仕切り板の脇に着座している着座乗客の頭部と前記袖仕切り板との衝突時の衝撃を、固定されていない前記袖仕切り板の上端部が撓むことによって緩和し、前記着座乗客の頭部の傷害を防止するようにしたことを特徴とする。
【０００６】
〔２〕上記〔１〕記載の袖仕切り板の取り付け方法において、前記袖仕切り板をさらに手すりによって固定する場合、この手すりの固定位置を前記着座乗客の肩部又はそれよりも低い位置とすることを特徴とする。
【発明の効果】
【０００７】
本発明によれば、袖仕切り板の車体への固定方法を工夫して、特に袖仕切り板の脇に着座している乗客の頭部の傷害を防止することができる。
【図面の簡単な説明】
【０００８】
【図１】本発明の実施例を示す袖仕切り板とその機能を示す模式図である。
【図２】本発明の実施例を示す袖仕切り板の側面図である。
【図３】本発明の実施例を示す袖仕切り板の正面図である。
【発明を実施するための形態】
【０００９】
本発明の袖仕切り板の取り付け方法は、列車車体に袖仕切り板を固定している固定部材の最上端固定位置を着座乗客の肩部又はそれよりも低い位置とすることにより、前記袖仕切り板の脇に着座している着座乗客の頭部と前記袖仕切り板との衝突時の衝撃を、固定されていない前記袖仕切り板の上端部が撓むことによって緩和し、前記着座乗客の頭部の傷害を防止するようにした。
【実施例】
【００１０】
以下、本発明の実施の形態について詳細に説明する。
図１は本発明の実施例を示す袖仕切り板とその機能を示す模式図であり、図１（ａ）は列車の衝突事故前の状態を示す図、図１（ｂ）は列車の衝突事故時の状態を示す図である。図２はその袖仕切り板の側面図、図３はその袖仕切り板の正面図である。
これらの図において、１は列車車体、２は袖仕切り板、２Ａは袖仕切り板２の上端部、３は荷棚、４は荷棚３から延びる手すり、５は床面、６は座面、７は列車車体１に袖仕切り板２を固定するボルトなどの固定部材、８は着座乗客、８Ａは着座乗客８の肩部、８Ｂは着座乗客８の頭部、９は固定部材７の最上端固定位置である。
【００１１】
これらの図に示すように、袖仕切り板２を手すり４に固定する高さと、固定部材７の最上端固定位置９の高さを、着座乗客８の肩部８Ａ又はそれよりも低い高さとすることにより、着座乗客８の頭部８Ｂが袖仕切り板２に衝突したとしても、固定部材７で固定されていない袖仕切り板２の上端部２Ａは撓むことになるため、着座乗客８の頭部８Ａが袖仕切り板２の上端部２Ａに衝突した際に受けるエネルギーを低減させることができる。
【００１２】
なお、上記した実施例では、袖仕切り板２を手すり４に固定するようにしているが、袖仕切り板２を手すり４に固定することは必須ではなく、図１に示したように、袖仕切り板２を列車車体１にのみ固定している場合にも本発明を適用することができる。
すなわち、図１（ａ）に示すような列車の衝突事故前の状態から、図１（ｂ）に示すように、列車の衝突事故が発生すると、着座乗客８は袖仕切り板２に打ち付けられることになるが、その場合に、袖仕切り板２の着座乗客８の肩部８Ａから上の上端部２Ａは、固定部材７によって列車車体１に固定されていないので、着座乗客８の頭部８Ｂが袖仕切り板２の上端部２Ａに打ち付けられてもその上端部２Ａは外側に撓むため、着座乗客８の頭部８Ｂの傷害を防止することができる。
【００１３】
なお、本発明は上記実施例に限定されるものではなく、本発明の趣旨に基づき種々の変形が可能であり、これらを本発明の範囲から排除するものではない。
【産業上の利用可能性】
【００１４】
本発明の袖仕切り板の車体への固定方法は、袖仕切り板の脇に着座している乗客の頭部の傷害を防止するようにした袖仕切り板の取り付け方法として利用可能である。
【符号の説明】
【００１５】
１    列車車体
２    袖仕切り板
２Ａ    袖仕切り板の上端部
３    荷棚
４    荷棚から延びる手すり
５    床面
６    座面
７    固定部材（例えばボルト）
８    着座乗客
８Ａ    着座乗客の肩部
８Ｂ    着座乗客の頭部
９    固定部材の最上端固定位置
【図１】
2012180029.tif 000003
【図２】
2012180029.tif 000004
【図３】
2012180029.tif 000005
(57)【要約】【課題】転送電話装置が不要不急の電話まで転送しないようにする。また、その設定のために利用者が行わなければならない作業をできるだけ簡便なものとする。【解決手段】転送電話装置に大量の連絡先データを簡便かつ迅速に取り込むことができるインタフェースを設けることで、利用者にとって重要な連絡先の電話番号を網羅的に取り込めるようにする。これにより、転送電話装置に登録されている番号と発信者番号の照合による転送可否判断の有用性を飛躍的に高める。【選択図】図１
2012151814.tif 000002
【特許請求の範囲】
【請求項１】
設定用機器からＷｅｂブラウザを介してｖＣａｒｄ形式の連絡先データを取り込むインタフェースを有する転送電話装置であって、ＷｅｂＵＩ部内の連絡先データ取得部により連絡先データに含まれる電話番号を転送判定ＤＢに格納し、外部から着信があった場合に発信者番号取得部において発信者番号を取得し、取得された発信者番号と転送判定ＤＢ内の電話番号を転送可否判定部で照合することにより、発信者番号に一致する電話番号データがＤＢ内に存在する場合には転送処理を、発信者番号に一致する電話番号がＤＢ内に存在しない場合には転送不可処理を行うことを特徴とする転送電話装置。
【発明の詳細な説明】
【技術分野】
【０００１】本発明は、携帯電話やインターネットクラウド上の電話帳を取り込んで、そのデータを転送可否の判断に用いることができる転送電話装置に関する。
【背景技術】
【０００２】電話の転送装置は様々な種類のものが実用化されており、携帯電話の普及とともに、その転送先としては携帯電話が用いられる場合が増えてきている。携帯電話は居場所に関係なく着信に応答できて便利な反面、呼ばれたくないような場面で呼び出されてしまう場合もある。従って、転送電話装置においては転送の可否を判断する機能が求められている。
【発明の概要】
【発明が解決しようとする課題】
【０００３】現存する転送電話サービス、および、転送電話装置では転送先携帯電話の所有者にとって不要と思われる着信についても転送されてしまうという問題がある。また、特定電話番号からの着信のみを転送するサービスや装置もあるが、登録に掛かる手数が多く、また、登録できる件数の上限も低いという問題がある。
【課題を解決するための手段】
【０００４】携帯電話の電話帳を含む連絡先データおよびインターネットクラウド上の連絡先預かりサービス等のデータを取り込むためのインタフェースを有すること、および、取り込んだデータと発信者番号を照合して転送可否を判断する機能を有することを最大の特徴とする。
【発明の効果】
【０００５】本発明によれば、取引先や友人等の電話帳に記載のある相手先からの着信のみしか携帯電話に転送されてこなくなるため、不要不急の電話に煩わされることが無くなる。また、そのために必要となる、装置へのデータ登録も簡便な手段により大量に、かつ、迅速に行うことができる。
【図面の簡単な説明】
【０００６】
【図１】  一実施の形態に係る機能ブロック構成図
【発明を実施するための形態】
【０００７】以下、本発明の一実施の形態に係る電話転送システムについて図面を参照して具体的に説明する。ＰＣ等設定機器２のＷｅｂブラウザ２２で連絡先データ２１を選択することにより、ｖＣａｒｄ形式の連絡先データをＷｅｂブラウザ経由で、転送電話装置１のＷｅｂＵＩ部１１内にある、連絡先データ取得部１２に転送する。連絡先データ２１は必ずしもＰＣ等設定機器２内に蓄積されているデータである必要はなく、インターネットクラウド上にあってＰＣ等設定機器２から参照可能なデータ、あるいは、ＰＣ等設定機器２の外部インタフェースに接続された機器内に蓄積されたデータ等であっても良い。
【０００８】連絡先データ取得部２１は転送された連絡先データの電話番号と姓名のデータを転送判定ＤＢ１３に格納する。転送電話装置１が外部からの着信を受けると、発信者番号取得部１４が発信者番号を取得する。取得された発信者番号は転送可否判定部１５において転送判定ＤＢ１３内の電話番号データと照合され、発信者番号と一致する番号があった場合には転送処理に引き渡し、発信者番号と一致する番号が無かった場合には、転送不可処理に引き渡す。
【符号の説明】
【０００９】      １    転送電話装置
２    ＰＣ等設定機器
１１  ＷｅｂＵＩ部
１２  連絡先データ取得部
１３  転送判定ＤＢ
１４  発信者番号取得部
１５  転送可否判定部
２１  連絡先データ
２２  Ｗｅｂブラウザ
【図１】
2012151814.tif 000003